(57)【要約】【課題】  フレキシブル配線基板に実装されたＬＥＤを導光板の側面近傍に容易に位置合わせすることができるバックライトユニットを提供すること。【解決手段】  導光板３を底面２ａに開口２ｂが形成されたフレーム２に収納し、フレキシブル配線基板８をフレーム２の裏面側へ彎曲させてＬＥＤ９を開口２ｂに収納して導光板３の側方に配置させるとともに、ＬＥＤ９を導光板３の側面近傍に位置合わせするように光源部品位置調整板４を導光板３の側面と対向するフレーム２の側壁２ｃに一体に形成する。【選択図】      図１
2005077757.tif 000002
【特許請求の範囲】
【請求項１】
液晶表示パネルの裏面側に導光板を配設し、光源部品が実装されたフレキシブル配線基板を前記液晶表示パネルに接続し、前記フレキシブル配線基板を彎曲させて前記光源部品を前記導光板の側方に配置させてなるバックライトユニットにおいて、
前記導光板を底面に開口が形成されたフレームに収納し、前記フレキシブル配線基板を前記フレームの裏面側へ彎曲させて前記光源部品を前記開口に収納して前記導光板の側方に配置させるとともに、該光源部品を前記導光板の側面近傍に位置合わせするように、光源部品位置調整板を前記導光板の側面と対向する前記フレームの側壁に一体に形成したことを特徴とするバックライトユニット。
【請求項２】
液晶表示パネルの裏面側に導光板を配設し、光源部品が実装されたフレキシブル配線基板を前記液晶表示パネルに接続し、前記フレキシブル配線基板を彎曲させて前記光源部品を前記導光板の側方に配置させてなるバックライトユニットにおいて、
前記導光板を底面に開口が形成されたフレームに収納し、前記フレキシブル配線基板を前記フレームの裏面側へ彎曲させて前記光源部品を前記開口に収納して前記導光板の側方に配置させるとともに、該光源部品を前記導光板の側面近傍に位置合わせするように、光源部品位置調整板を前記開口を構成する前記フレームの対向側壁間に一体に形成したことを特徴とするバックライトユニット。
【請求項３】
前記光源部品位置調整板が前記光源部品に当接し、該光源部品を前記導光板側へ向けて押圧していることを特徴とする請求項１または請求項２のいずれか１項に記載のバックライトユニット。
【請求項４】
前記光源部品位置調整板が弾性変形可能な形状に形成されていることを特徴とする請求項１乃至請求項３のいずれか１項に記載のバックライトユニット。
【発明の詳細な説明】
【技術分野】
【０００１】
本発明はバックライトユニットに係り、特に、光源部品を導光板に対して好適な位置に配置することができるバックライトユニットに関する。
【背景技術】
【０００２】
従来から、液晶表示パネルの裏面側に導光板を配設するとともに、この導光板の側方に光源を配設し、この光源から発せられる光により前記液晶表示パネルの表示面を発光させるバックライトユニットが使用されてきた。
【０００３】
このような従来のバックライトユニットの一例としては、液晶表示パネルの裏面側に導光板を配設し、前記液晶表示パネルに接続されるフレキシブル配線基板にＬＥＤ等の光源部品を搭載して、前記液晶表示パネルに接続されて彎曲されたフレキシブル配線基板の前記光源により前記導光板を介して液晶表示パネルの表示面を発光させるものがある。
【０００４】
前記液晶表示パネルは、ほぼ方形枠状のシール材を介して２枚の基板が貼り合わされ、シール材の内側における両基板間に液晶が封入されて構成されている。前記基板の内の一方の基板には、他方の基板よりも平面方向に突出した突出部が形成され、この突出部の上面の所定の２箇所には液晶駆動用のＬＳＩなどからなるドライバＩＣが搭載されている。また、前記突出部の上面において、前記ドライバＩＣの搭載領域およびその近傍には複数の外部接続端子が並列して設けられている。
【０００５】
前記液晶表示パネルの裏面側となる表示面とは反対側の面には導光板が設けられている。前記導光板は平面方形状であって、前記液晶表示パネルの突出部側の一端面を入射面とされるとともに、表面を出射面とされ、裏面を入射面側から他端面側に向かって厚さが漸次薄くなるように傾斜された傾斜面とされた構造となっている。なお、前記傾斜面には反射板が貼り付けられている。
【０００６】
前記液晶表示パネルの突出部の外部接続端子にはフレキシブル配線基板が接続されている。前記フレキシブル配線基板は、裏面の所定の３箇所に各一対のＬＥＤが異方性導電接着剤により接合して搭載されている。
【０００７】
そして、前記フレキシブル配線基板は、その一端部近傍においてほぼ１８０°折り曲げられ、前記導光板の裏面側に配置され、前記ＬＥＤの発光面は前記導光板の入射面に密接されている（例えば、特許文献１参照）。
【０００８】
【特許文献１】特開２００２−１５６６４８号公報
【発明の開示】
【発明が解決しようとする課題】
【０００９】
しかしながら、前述したバックライトユニットにおいては、従来から作業者による手作業によりフレキシブル配線基板に実装された光源部品を導光板の側面近傍に位置合わせしていた。このため、光源部品の導光板に対する位置ずれが生じる場合があり、光源部品と導光板との距離が液晶表示装置の表示に大きく影響し、光源部品と導光板との距離が大きくなると液晶表示装置の表示品質を低下させてしまうという問題があった。
【００１０】
本発明はこのような問題点に鑑みてなされたもので、フレキシブル配線基板に実装された光源部品を導光板の側面近傍に容易に位置合わせすることができるバックライトユニットを提供することを目的とするものである。
【課題を解決するための手段】
【００１１】
前述した目的を達成するため本発明のバックライトユニットの特徴は、液晶表示パネルの裏面側に導光板を配設し、光源部品が実装されたフレキシブル配線基板を液晶表示パネルに接続し、フレキシブル配線基板を彎曲させて光源部品を導光板の側方に配置させてなるバックライトユニットにおいて、導光板を底面に開口が形成されたフレームに収納し、フレキシブル配線基板をフレームの裏面側へ彎曲させて光源部品を開口に収納して導光板の側方に配置させるとともに、該光源部品を導光板の側面近傍に位置合わせするように、光源部品位置調整板を開口を構成する側壁に形成した点にある。
【００１２】
また、本発明のバックライトユニットの他の特徴は、液晶表示パネルの裏面側に導光板を配設し、光源部品が実装されたフレキシブル配線基板を液晶表示パネルに接続し、フレキシブル配線基板を彎曲させて光源部品を導光板の側方に配置させてなるバックライトユニットにおいて、導光板を底面に開口が形成されたフレームに収納し、フレキシブル配線基板をフレームの裏面側へ彎曲させて光源部品を開口に収納して導光板の側方に配置させるとともに、該光源部品を導光板の側面近傍に位置合わせするように、光源部品位置調整板を開口を構成する対向側壁間に一体に形成した点にある。
【００１３】
また、本発明のバックライトユニットの他の特徴は、光源部品位置調整板が光源部品に当接し、該光源部品を導光板側へ向けて押圧している点にある。
【００１４】
また、本発明のバックライトユニットの他の特徴は、光源部品位置調整板が弾性変形可能な形状に形成されている点にある。
【発明の効果】
【００１５】
本発明によれば、フレキシブル配線基板に実装された光源部品を導光板の側方に容易に配置することができるとともに、光源部品を導光板の側面近傍に位置合わせすることができ、光源部品の位置ずれによる液晶表示パネルの表示品質の低下を防止することができる。また、光源部品位置調整板が弾性変形可能な形状に形成されていることにより、光源部品を開口に収納する際に、光源部品が光源部品位置調整板と接触して損傷することを防止することができるとともに、収納された光源部品を導光板の側面近傍に保持して位置ずれを防止することができる。
【発明を実施するための最良の形態】
【００１６】
以下、図面を用いて本発明のバックライトユニットの実施形態について説明する。
【００１７】
図１は本発明に係るバックライトユニットの実施形態を示す上方からの斜視図、図２は図１のバックライトユニットを使用した液晶表示装置の分解斜視図、図３は図２の液晶表示装置の概略縦断面図、図４（ａ），（ｂ）は本発明に係るバックライトユニットの他の実施形態を示す上方からの斜視図である。
【００１８】
本実施形態のバックライトユニット１は、図１に示すように、底面２ａの端部に後述するフレキシブル配線基板８に実装された複数（本実施形態においては２つ）の光源部品であるＬＥＤ９を収納する開口２ｂが形成され、一方の側壁２ｃに後述する液晶表示パネル５に接続されたフレキシブル配線基板８を引き出す切欠き２ｄが形成された樹脂材料製のフレーム２を有しており、前記フレーム２の内部には導光板３が収納されている。
【００１９】
前記開口２ｂを構成する側壁２ｃには、収納された各ＬＥＤ９を前記導光板３の側面側へ押圧して位置合わせを行なう弾性変形可能な可撓性を有する鈎状の光源部品位置調整板４が、前記ＬＥＤ９の個数に応じて前記側壁２ｃから前記フレーム２の内側へ突出し、開口２ｂを構成する対向側壁２ｅ、２ｆとそれぞれ間隔をなすように形成されている。
【００２０】
各光源部品位置調整板４は、前記フレーム２と一体に形成されており、前記光源部品位置調整板４と前記導光板３との間隔は、前記ＬＥＤ９の幅寸法と同寸法であるか、あるいは僅かに狭く形成してもよい。また、前記鈎状の光源部品位置調整板４は、前記側壁２ｃに接続されている基端から平面視において反時計方向にほぼＣ字状をなすように彎曲して自由状態にある先端が前記側壁２ｃの近傍に臨んでいる。そして、前記光源部品位置調整板４の中間位置が前記ＬＥＤ９を押圧するようになっている。
【００２１】
また、前記底面２ａは、前記ＬＥＤ９から発せられた光を前記導光板３を介して液晶表示パネル５へ反射するように白色あるいは銀色の塗装を施すか、前記底面２ａと前記導光板３との間に反射シートを配設することが好ましい。
【００２２】
さらに、前記導光板３の表面には、前記ＬＥＤ９から発せられた光を拡散および増幅するための拡散シート（図示せず）とレンズシート（図示せず）とが配設されている。
【００２３】
そして、図２および図３に示すように、前記バックライトユニット１の導光板３に液晶表示パネル５が非表示領域に接着剤あるいは両面テープを貼付して接着して固定され、前記液晶表示パネル５にフレキシブル配線基板８が接続されて液晶表示装置１０が完成される。
【００２４】
前記液晶表示パネル５の対向する２枚の基板６，７間には液晶（図示せず）が封入され、各基板６，７には、光をある方向にのみ振動させるための偏光板（図示せず）がそれぞれ貼着されている。
【００２５】
また、前記基板６は、１辺が前記基板７の一辺よりも平面上において延長して形成されている。この延長部６ａには電極端子部（図示せず）が形成されるとともに、駆動用のドライバＩＣ（図示せず）が実装され、さらには、フレキシブル配線基板８が接続されている。
【００２６】
前記フレキシブル配線基板８は可撓性を有するフィルム基板からなり、前記フレキシブル配線基板８の裏面８ａには、エッチングにより所定のパターン（図示せず）が形成され、一方の端部は前記液晶表示パネル５の電極端子部と接続され、他方の端部は制御回路基板（図示せず）に接続されている。また、前記フレキシブル配線基板８の表面８ｂには２つのＬＥＤ９が実装されている。
【００２７】
そして、前記フレキシブル配線基板８を前記バックライトユニット１のフレーム２の裏面側へ彎曲し、表面８ｂに実装された２つのＬＥＤ９を前記フレーム２の開口２ｂに収納する。このとき、前記導光板３と前記光源部品位置調整板４との間隔が前記各ＬＥＤ９の幅寸法よりも狭い場合には、前記光源部品位置調整板４の中間位置にＬＥＤ９が圧接することにより光源部品位置調整板４がＬＥＤ９と前記側壁２ｃとの間において多少扁平形状になるように撓み、この光源部品位置調整板４の撓んだ際の内部応力により前記各ＬＥＤ９を前記導光板３の側面側へ押圧して正常な位置において保持することができる。
【００２８】
このような構成からなる本実施形態のバックライトユニット１によれば、弾性変形される光源部品位置調整板４によりＬＥＤ９を押圧して導光板３の側面に対して正常な位置に配置することができ、ＬＥＤ９から導光板３へ発せられる光により液晶表示パネル５を正常に発光させることができる。
【００２９】
なお、本発明は、前述した実施の形態に限定されるものではなく、必要に応じて種々の変更が可能である。例えば、本実施形態において光源部品位置調整板４はバックライトユニット１のフレーム２の側壁２ｃから導光板３側へ鈎状に突出して形成されているが、図４（ａ）、（ｂ）に示すように形成することもできる。
【００３０】
図４（ａ）に示す実施形態においては、平板状で弾性変形可能な光源部品位置調整板４が開口２ｂを構成する対向側壁２ｅ、２ｆ間に一体に形成されており、この平板状の光源部品位置調整板４はこれらの側壁２ｅ、２ｆからＬＥＤ９の幅寸法分の間隔を設けて導光板３の側面に対して平行に設けられ、光源部品位置調整板４が弾性変形することによりＬＥＤ９を位置合わせするようになっている。
【００３１】
このような構成によれば、両端を支持されている平板状の光源部品位置調整板４が側壁２ｃ方向に中間部を膨出させるようにして撓むことにより、この平板状の光源部品位置調整板４によりＬＥＤ９を押圧して導光板３の側面に対して正常な位置に配置することができ、ＬＥＤ９から導光板３へ発せられる光により液晶表示パネル５を正常に発光させることができる。
【００３２】
さらに、図４（ｂ）に示す実施形態においては、連続した凹凸形状をなすいわゆるジグザグ形状で弾性変形可能な光源部品位置調整板４が、開口２ｂを構成する対向側壁２ｅ、２ｆ間に一体に形成されており、この連続凹凸形状の光源部品位置調整板４は、ＬＥＤ９に対向する辺がＬＥＤ９に押圧されて光源部品位置調整板４が弾性変形することによりＬＥＤ９を保持して位置合わせを行なうようになっている。
【００３３】
このような構成によれば、図４（ａ）に示す平板状の光源部品位置調整板４にに比べ撓みやすく、両端を支持されている連続凹凸形状の光源部品位置調整板４が側壁２ｃ方向に中間部を膨出させるようにして撓むことにより、この連続凹凸形状の光源部品位置調整板４によりＬＥＤ９を押圧して導光板３の側面に対して正常な位置に配置することができ、ＬＥＤ９から導光板３へ発せられる光により液晶表示パネル５を正常に発光させることができる。
【００３４】
なお、ＬＥＤ９と光源部品位置調整板４とは当接しなくともよい。例えば、図４（ａ）に示す実施形態の光源部品位置調整板４をＬＥＤ９をセットするときの案内板として単に機能させても従来に比してＬＥＤ９を導光板３の側面に近接させることができる。
【図面の簡単な説明】
【００３５】
【図１】本発明に係るバックライトユニットの実施形態を示す上方からの斜視図
【図２】図１のバックライトユニットを使用した液晶表示装置の分解斜視図
【図３】図２の液晶表示装置の概略縦断面図
【図４】本発明に係るバックライトユニットの他の実施形態を示す上方からの斜視図
【符号の説明】
【００３６】
１  バックライトユニット
２  フレーム
３  導光板
４  光源部品位置調整板
５  液晶表示パネル
６  基板
７  基板
８  フレキシブル配線基板
９  ＬＥＤ
１０  液晶表示装置
【図１】
2005077757.tif 000003
【図２】
2005077757.tif 000004
【図３】
2005077757.tif 000005
【図４】
2005077757.tif 000006